(57)【要約】【課題】電極パターンを不規則に形成することにより、モアレ現象を防止し、視認性を改善することができるタッチパネルを提供する。【解決手段】本発明によるタッチパネル１００は、同一の多角形１１５で構成された仮想の格子を形成し、多角形１１５の内部に所定点１１７をランダムに生成した後、所定点１１７と前記多角形１１５の頂点とを連結して形成された電極パターン１１０を含むものである。【選択図】図３
2014041589.tif 000002
【特許請求の範囲】
【請求項１】
同一の多角形で構成された仮想の格子を形成し、前記多角形の内部に所定点をランダムに生成した後、前記所定点と前記多角形の頂点とを連結して形成された電極パターンを含むタッチパネル。
【請求項２】
前記多角形は、三角形、四角形または六角形である請求項１に記載のタッチパネル。
【請求項３】
前記所定点は、隣接した２個の前記多角形のうち１個にのみ生成される請求項１に記載のタッチパネル。
【請求項４】
前記電極パターンが形成された透明基板をさらに含む請求項１に記載のタッチパネル。
【請求項５】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチパネル。
【請求項６】
前記電極パターンは、銀塩乳剤層を露光／現像して形成される金属銀で形成される請求項１に記載のタッチパネル。
【請求項７】
同一の第１多角形で構成された仮想の格子を形成し、前記第１多角形の内部に第１所定点をランダムに生成した後、前記第１所定点と前記第１多角形の頂点とを連結して形成された第１電極パターンと、
同一の第２多角形で構成された仮想の格子を形成し、前記第２多角形の内部に第２所定点をランダムに生成した後、前記第２所定点と前記第２多角形の頂点とを連結して形成された第２電極パターンと、を含むタッチパネル。
【請求項８】
前記第１多角形は、三角形、四角形または六角形であり、
前記第２多角形は、三角形、四角形または六角形である請求項７に記載のタッチパネル。
【請求項９】
前記第１所定点は、隣接した２個の前記第１多角形のうち１個にのみ生成される請求項７に記載のタッチパネル。
【請求項１０】
前記第２所定点は、隣接した２個の前記第２多角形のうち１個にのみ生成される請求項７に記載のタッチパネル。
【請求項１１】
一面に前記第１電極パターンが形成され、他面に前記第２電極パターンが形成された透明基板をさらに含む請求項７に記載のタッチパネル。
【請求項１２】
前記第１電極パターンが形成された第１透明基板と、
前記第２電極パターンが形成された第２透明基板と、をさらに含む請求項７に記載のタッチパネル。
【請求項１３】
前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項７に記載のタッチパネル。
【請求項１４】
前記第１電極パターンまたは前記第２電極パターンは、銀塩乳剤層を露光／現像して形成される金属銀で形成される請求項７に記載のタッチパネル。
【請求項１５】
前記第１多角形と前記第２多角形は、同一である請求項７に記載のタッチパネル。
【請求項１６】
前記第１多角形と前記第２多角形は、異なる請求項７に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などのディスプレイの表示面に設けられ、ユーザがディスプレイを見ながら所望の情報を選択するようにするために利用される機器である。
【０００６】
また、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
一方、タッチパネルは、特許文献１のように、金属を用いて電極パターンを形成しようとする研究が活発に行われている。このように金属で電極パターンを形成すると、電気伝導度に優れ、需給が円滑であるという長所がある。しかし、金属で電極パターンを形成する場合、ユーザに認識されることを防止するために、マイクロメートル（μｍ）単位のメッシュ（Ｍｅｓｈ）構造に形成しなければならない。しかし、規則的且つ一定の間隔のメッシュ構造にタッチパネルの電極パターンを形成すると、タッチパネルの電極パターンとディスプレイ（ＬＣＤなど）に備えられたカラーフィルタ（Ｃｏｌｏｒ  Ｆｉｌｔｅｒ）のブラックマトリックス（Ｂｌａｃｋ  Ｍａｔｒｉｘ）パターンとの間の周期特性が重なるため、モアレ（ｍｏｉｒｅ）現象が発生し、視認性が低下するという問題点がある。
【先行技術文献】
【特許文献】
【０００８】
【特許文献１】韓国公開特許第１０−２０１０−００９１４９７号公報
【発明の概要】
【発明が解決しようとする課題】
【０００９】
本発明は、上述した従来技術の問題点を解決するためのものであって、本発明の一側面は、同一の多角形で構成された仮想の格子を形成し、多角形の内部に所定点をランダムに生成した後、所定点と多角形の頂点とを連結して電極パターンを不規則に形成することにより、モアレ現象を防止し、視認性を改善することができるタッチパネルを提供することを目的とする。
【課題を解決するための手段】
【００１０】
本発明の第１実施例によるタッチパネルは、同一の多角形で構成された仮想の格子を形成し、前記多角形の内部に所定点をランダムに生成した後、前記所定点と前記多角形の頂点とを連結して形成された電極パターンを含む。
【００１１】
また、本発明の第１実施例によるタッチパネルにおいて、前記多角形は、三角形、四角形または六角形である。
【００１２】
また、本発明の第１実施例によるタッチパネルにおいて、前記所定点は、隣接した２個の前記多角形のうち１個にのみ生成される。
【００１３】
また、本発明の第１実施例によるタッチパネルにおいて、前記電極パターンが形成された透明基板をさらに含む。
【００１４】
また、本発明の第１実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００１５】
また、本発明の第１実施例によるタッチパネルにおいて、前記電極パターンは、銀塩乳剤層を露光／現像して形成される金属銀で形成される。
【００１６】
本発明の第２実施例によるタッチパネルは、同一の第１多角形で構成された仮想の格子を形成し、前記第１多角形の内部に第１所定点をランダムに生成した後、前記第１所定点と前記第１多角形の頂点とを連結して形成された第１電極パターンと、同一の第２多角形で構成された仮想の格子を形成し、前記第２多角形の内部に第２所定点をランダムに生成した後、前記第２所定点と前記第２多角形の頂点とを連結して形成された第２電極パターンと、を含む。
【００１７】
また、本発明の第２実施例によるタッチパネルにおいて、前記第１多角形は、三角形、四角形または六角形であり、前記第２多角形は、三角形、四角形または六角形である。
【００１８】
また、本発明の第２実施例によるタッチパネルにおいて、前記第１所定点は、隣接した２個の前記第１多角形のうち１個にのみ生成される。
【００１９】
また、本発明の第２実施例によるタッチパネルにおいて、前記第２所定点は、隣接した２個の前記第２多角形のうち１個にのみ生成される。
【００２０】
また、本発明の第２実施例によるタッチパネルにおいて、一面に前記第１電極パターンが形成され、他面に前記第２電極パターンが形成された透明基板をさらに含む。
【００２１】
また、本発明の第２実施例によるタッチパネルにおいて、前記第１電極パターンが形成された第１透明基板と、前記第２電極パターンが形成された第２透明基板と、をさらに含む。
【００２２】
また、本発明の第２実施例によるタッチパネルにおいて、前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００２３】
また、本発明の第２実施例によるタッチパネルにおいて、前記第１電極パターンまたは前記第２電極パターンは、銀塩乳剤層を露光／現像して形成される金属銀で形成される。
【００２４】
また、本発明の第２実施例によるタッチパネルにおいて、前記第１多角形と前記第２多角形は同一である。
【００２５】
また、本発明の第２実施例によるタッチパネルにおいて、前記第１多角形と前記第２多角形は異なる。
【発明の効果】
【００２６】
本発明によると、同一の多角形で構成された仮想の格子を形成し、多角形の内部に所定点をランダムに生成した後、所定点と多角形の頂点とを連結して電極パターンを不規則に形成することにより、モアレ現象を防止し、視認性を改善することができる効果がある。
【００２７】
また、本発明によると、所定点が多角形の内部にランダムに形成されることにより電極パターンが不規則に形成されるが、所定点が生成される位置が仮想の格子を構成する多角形の内部に制限される。従って、電極パターンの電気的特性及び光学的特性は、平均的に一定であり、電極パターンの開口率も平均的に一定であるという長所がある。
【００２８】
更に、本発明によると、電極パターンの単位パターンを連続的に連結させると、電気的特性及び光学的特性の不連続なしに大きいサイズの電極パターンを形成することができる効果がある。
【図面の簡単な説明】
【００２９】
【図１】本発明の第１実施例によるタッチパネルの電極パターンを形成する過程を図示した平面図である。
【図２】本発明の第１実施例によるタッチパネルの電極パターンを形成する過程を図示した平面図である。
【図３】本発明の第１実施例によるタッチパネルの電極パターンを形成する過程を図示した平面図である。
【図４】本発明の第１実施例によるタッチパネルを変形した変形例を図示した平面図である。
【図５】本発明の第１実施例によるタッチパネルを変形した変形例を図示した平面図である。
【図６】本発明の第１実施例によるタッチパネルを変形した変形例を図示した平面図である。
【図７】本発明の第１実施例によるタッチパネルの断面図である。
【図８】本発明の第２実施例によるタッチパネルの電極パターンを形成する過程を図示した平面図である。
【図９】本発明の第２実施例によるタッチパネルの電極パターンを形成する過程を図示した平面図である。
【図１０】本発明の第２実施例によるタッチパネルの電極パターンを形成する過程を図示した平面図である。
【図１１】本発明の第２実施例によるタッチパネルを変形した変形例を図示した平面図である。
【図１２】本発明の第２実施例によるタッチパネルを変形した変形例を図示した平面図である。
【図１３】本発明の第２実施例によるタッチパネルの断面図である。
【図１４】本発明の第２実施例によるタッチパネルの断面図である。
【発明を実施するための形態】
【００３０】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３１】
以下、添付図面を参照して、本発明の好ましい実施例を詳細に説明する。
【００３２】
図１から図３は、本発明の第１実施例によるタッチパネルの電極パターンを形成する過程を図示した平面図であり、図４から図６は、本発明の第１実施例によるタッチパネルを変形した変形例を図示した平面図であり、図７は、本発明の第１実施例によるタッチパネルの断面図である。
【００３３】
図１から図３に図示されたように、本実施例によるタッチパネル１００は、同一の多角形１１５で構成された仮想の格子を形成し、多角形１１５の内部に所定点１１７をランダムに生成した後、所定点１１７と多角形１１５の頂点とを連結して形成された電極パターン１１０を含む。
【００３４】
前記電極パターン１１０（図３参照）は、ユーザがタッチする際に信号を発生させて、コントローラでタッチ座標を認識できるようにする役割を遂行するものである。ここで、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて微細パターンに形成することができる。この際、電極パターン１１０は、メッキ工程またはスパッタ（Ｓｐｕｔｔｅｒ）を用いた蒸着工程により形成することができる。一方、電極パターン１１０を銅（Ｃｕ）などの金属で形成する場合、電極パターン１１０の表面は黒化処理されることができる。ここで、黒化処理とは、電極パターン１１０の表面を酸化させてＣｕ２ＯまたはＣｕＯなどを析出させることであり、Ｃｕ２Ｏは茶色を呈するためブラウンオキサイド（Ｂｌｏｗｎ  Ｏｘｉｄｅ）といい、ＣｕＯは黒色を呈するためブラックオキサイド（Ｂｌａｃｋ  Ｏｘｉｄｅ）という。このように、電極パターン１１０の表面を黒化処理することにより、光が反射することを防止することができ、これによってタッチパネル１００の視認性を改善させることができる長所がある。一方、上述の金属の他にも、電極パターン１１０は、銀塩乳剤層を露光／現像して形成された金属銀で形成することもできる。
【００３５】
また、電極パターン１１０は、一定の規則に従ってパターニングされる。まず、図１に図示されたように、多角形１１５で構成された仮想の格子を形成する。ここで、仮想の格子を構成する多角形１１５は、互いに同一である。仮想の格子を構成する多角形１１５は、所定点１１７を生成するための基準であり、図２に図示されたように、多角形１１５の内部に所定点１１７をランダムに生成する。即ち、所定点１１７は、多角形１１５の内部であればどこに生成されてもよい。所定点１１７を生成した後、図３に図示されたように、所定点１１７と仮想の格子を構成する多角形１１５の頂点とを連結して電極パターン１１０を形成する。所定点１１７が多角形１１５の内部にランダムに形成されるため、所定点１１７と多角形１１５の頂点とを連結して形成した電極パターン１１０も、不規則に形成される。特に、電極パターン１１０を構成する単位パターン１１９の各線分は、ランダムな角度を有するだけでなく、前記線分の長さが短い。このように、電極パターン１１０を構成する単位パターン１１９の各線分の角度がランダムであり、前記線分の長さが短いため、電極パターン１１０とディスプレイ（Ｄｉｓｐｌａｙ）に備えられたカラーフィルタ（Ｃｏｌｏｒ  Ｆｉｌｔｅｒ）のブラックマトリックス（Ｂｌａｃｋ  Ｍａｔｒｉｘ）パターンとの間の周期特性が重ならず、モアレ現象を防止し、視認性を改善することができる効果がある。また、所定点１１７が多角形１１５の内部にランダムに形成されることにより電極パターン１１０が不規則に形成されるが、所定点１１７が生成される位置が仮想の格子を構成する多角形１１５の内部に制限される。従って、電極パターン１１０の電気的特性及び光学的特性は平均的に一定であり、電極パターン１１０の開口率も平均的に一定であるという長所がある。さらに、電極パターン１１０の単位パターン１１９を連続的に連結させると、電気的特性及び光学的特性の不連続なしに大きいサイズの電極パターン１１０を形成することができる。
【００３６】
一方、仮想の格子を構成する多角形１１５は、三角形（図３参照）だけでなく、四角形（図４参照）または六角形（図５参照）であってもよい。
【００３７】
また、図６に図示されたように、所定点１１７は、必ずしも仮想の格子を構成する全ての多角形１１５の内部に形成されなければならないわけではなく、隣接した２個の多角形１１５のうち１個にのみ形成されてもよい。即ち、仮想の格子に沿って一方向（矢印参照）に向かって、所定点１１７が生成された多角形１１５と所定点１１７が生成されていない多角形１１５とが交互に存在することができる。この際、電極パターン１１０を構成する単位パターン１１９は、全ての多角形１１５の内部に所定点１１７を形成した場合の単位パターン１１９を多数個併合したものと同様である。また、単位パターン１１９の頂点の数は、全ての多角形１１５の内部に所定点１１７を形成した場合に比べ増加するため、単位パターン１１９の各線分はランダムな角度をより多く有することができる。従って、タッチパネル１００におけるモアレ現象をより効果的に防止し、視認性を改善することができる効果がある。
【００３８】
また、図７に図示されたように、本実施例によるタッチパネル１００は、電極パターン１１０が形成される透明基板１２０を含むことができる。ここで、透明基板１２０は、電極パターン１１０が形成される領域を提供するものである。この際、透明基板１２０は、電極パターン１１０を支持することができる支持力と、ディスプレイから提供される画像をユーザが認識できるようにする透明性を備えなければならない。上述の支持力及び透明性を考慮して、透明基板１２０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００３９】
一方、透明基板１２０の一面を活性化させるために、高周波処理またはプライマー（Ｐｒｉｍｅｒ）処理を施すことができる。このように、透明基板１２０の一面を活性化させることにより、透明基板１２０と電極パターン１１０との間の接着力を向上させることができる。
【００４０】
さらに、電極パターン１１０の縁には、電極パターン１１０からの電気的信号を送／受信する電極配線を形成することができる。この際、電極配線を電極パターン１１０と一体に形成することにより、製造工程を簡素化し、リードタイム（Ｌｅａｄ  Ｔｉｍｅ）を短縮することができる。また、電極配線と電極パターン１１０を一体に形成することにより、電極配線と電極パターン１１０との接合工程を省略することができるため、電極配線と電極パターン１１０との間に生じる段差や接合不良の問題を予め防止することができる効果がある。
【００４１】
図８から図１０は、本発明の第２実施例によるタッチパネルの電極パターンを形成する過程を図示した平面図であり、図１１及び図１２は、本発明の第２実施例によるタッチパネルを変形した変形例を図示した平面図である。
【００４２】
図８から図１０に図示されたように、本実施例によるタッチパネル２００は、同一の第１多角形２１５で構成された仮想の格子を形成し、第１多角形２１５の内部に第１所定点２１７をランダムに生成した後、第１所定点２１７と第１多角形２１５の頂点とを連結して形成された第１電極パターン２１０と、同一の第２多角形３１５で構成された仮想の格子を形成し、第２多角形３１５の内部に第２所定点３１７をランダムに生成した後、第２所定点３１７と第２多角形３１５の頂点とを連結して形成された第２電極パターン３１０と、を含む。
【００４３】
本実施例によるタッチパネル２００は、２個の電極パターン（第１電極パターン２１０と第２電極パターン３１０）を含む点で、上述の第１実施例によるタッチパネル１００と異なる。従って、本実施例によるタッチパネル２００において第１実施例によるタッチパネル１００と重複される部分は省略し、第１電極パターン２１０と第２電極パターン３１０などを中心に記述する。
【００４４】
前記第１、２電極パターン２１０、３１０（図１０参照）は、一定の規則に従ってパターニングされる。まず、図８に図示されたように、第１多角形２１５で構成された仮想の格子を形成し、第２多角形３１５で構成された仮想の格子を形成する。ここで、仮想の格子を構成する第１多角形２１５は、互いに同一であり、また他の仮想の格子を構成する第２多角形３１５も互いに同一である。仮想の格子を構成する第１多角形２１５と第２多角形３１５は、それぞれ第１所定点２１７と第２所定点３１７を生成するための基準であり、図９に図示されたように、第１多角形２１５の内部に第１所定点２１７をランダムに生成し、第２多角形３１５の内部に第２所定点３１７をランダムに生成する。即ち、第１所定点２１７は、第１多角形２１５の内部であればどこに生成されてもよく、第２所定点３１７は第２多角形３１５の内部であればどこに生成されてもよい。第１所定点２１７及び第２所定点３１７を生成した後、図１０に図示されたように、第１所定点２１７と仮想の格子を構成する第１多角形２１５の頂点とを連結して第１電極パターン２１０を形成し、第２所定点３１７と仮想の格子を構成する第２多角形３１５の頂点とを連結して第２電極パターン３１０を形成する。
【００４５】
第１所定点２１７と第２所定点３１７が第１多角形２１５の内部と第２多角形３１５の内部にランダムに形成されるため、第１所定点２１７と第１多角形２１５の頂点とを連結して形成した第１電極パターン２１０及び第２所定点３１７と第２多角形３１５の頂点とを連結して形成した第２電極パターン３１０も不規則に形成される。従って、第１、２電極パターン２１０、３１０を構成する第１単位パターン２１９と第２単位パターン３１９の各線分は、ランダムな角度を有するだけでなく、前記線分の長さが短い。このように、第１、２電極パターン２１０、３１０を構成する第１単位パターン２１９と第２単位パターン３１９の各線分の角度がランダムであり、前記線分の長さが短いため、第１、２電極パターン２１０、３１０とディスプレイに備えられたカラーフィルタのブラックマトリックスパターンとの間の周期特性が重ならず、モアレ現象を防止し、視認性を改善することができる効果がある。
【００４６】
また、第１、２所定点２１７、３１７が第１、２多角形２１５、３１５の内部にランダムに形成されることにより第１、２電極パターン２１０、３１０が不規則に形成されるが、第１、２所定点２１７、３１７が生成される位置が仮想の格子を構成する第１、２多角形２１５、３１５の内部に制限される。従って、第１、２電極パターン２１０、３１０の電気的特性及び光学的特性が平均的に一定であり、第１、２電極パターン２１０、３１０の開口率も平均的に一定であるという長所がある。さらに、第１、２電極パターン２１０、３１０の第１、２単位パターン２１９、３１９を連続的に連結させると、電気的特性及び光学的特性の不連続なしに大きいサイズの第１、２電極パターン２１０、３１０を形成することができる。
【００４７】
一方、仮想の格子を構成する第１多角形２１５または第２多角形３１５は、三角形や四角形（図１０参照）だけでなく、六角形（図５参照）であってもよい。
【００４８】
また、図１１に図示されたように、第１、２所定点２１７、３１７は、必ずしも仮想の格子を構成する全ての第１、２多角形２１５、３１５の内部に形成されなければならないわけではなく、隣接した２個の第１、２多角形２１５、３１５のうち１個にのみ形成されてもよい。即ち、仮想の格子に沿って一方向に向かって、第１、２所定点２１７、３１７が生成された第１、２多角形２１５、３１５と第１、２所定点２１７、３１７が生成されていない第１、２多角形２１５、３１５とが交互に存在することができる。
【００４９】
この際、第１、２電極パターン２１０、３１０を構成する第１、２単位パターン２１９、３１９は、全ての第１、２多角形２１５、３１５の内部に第１、２所定点２１７、３１７を形成した場合の第１、２単位パターン２１９、３１９を多数個併合したものと同様である。また、第１、２単位パターン２１９、３１９の頂点の数は、全ての第１、２多角形２１５、３１５の内部に第１、２所定点２１７、３１７を形成した場合に比べ増加するため、第１、２単位パターン２１９、３１９の各線分はランダムな角度をより多く有する。従って、タッチパネル２００におけるモアレ現象をより効果的に防止し、視認性を改善することができる効果がある。一方、図面では、第１所定点２１７と第２所定点３１７が両方とも、隣接した２個の第１、２多角形２１５、３１５のうち１個にのみ生成されているが、本発明の権利範囲はこれに制限されず、第１所定点２１７と第２所定点３１７のうち何れか一つのみが、隣接した２個の第１、２多角形２１５、３１５のうち１個にのみ生成されてもよい。
【００５０】
また、仮想の格子を構成する第１多角形２１５と第２多角形３１５は、パターニングの便利性のために同一であることができるが、第１多角形２１５と第２多角形３１５は互いに異なってもよい。例えば、図１２に図示されたように、第１多角形２１５と第２多角形３１５は、互いに異なるサイズであることができる。このように第１多角形２１５と第２多角形３１５が互いに異なる場合、最終的に形成される第１電極パターン２１０の第１単位パターン２１９と第２電極パターン３１０の第２単位パターン３１９も異なることになる。従って、第１、２電極パターン２１０、３１０とディスプレイに備えられたカラーフィルタのブラックマトリックスパターンとの間の周期特性が重なる可能性がさらに低くなるため、モアレ現象をより効果的に防止することができる。
【００５１】
また、図１３及び図１４は、本発明の第２実施例によるタッチパネルの断面図である。
【００５２】
図１３に図示されたように、本実施例によるタッチパネル２００は、一面に第１電極パターン２１０が形成され、他面に第２電極パターン３１０が形成される透明基板１２０を含むことができる。
【００５３】
ここで、透明基板１２０は、第１、２電極パターン２１０、３１０及び電極配線が形成される領域を提供するものである。但し、必ずしも一つの透明基板１２０の両面にそれぞれ第１電極パターン２１０と第２電極パターン３１０が形成されなければならないわけではない。即ち、図１４に図示されたように、２個の透明基板（第１透明基板２２０、第２透明基板３２０）を備え、第１透明基板２２０に第１電極パターン２１０を形成し、第２透明基板３２０に第２電極パターン３１０を形成することができる。この場合、第１透明基板２２０と第２透明基板３２０は、接着層３４０により接着されることができる。
【００５４】
さらに、第１、２電極パターン２１０、３１０の縁には、第１、２電極パターン２１０、３１０からの電気的信号を送／受信する電極配線が形成されることができる。この際、電極配線を第１、２電極パターン２１０、３１０と一体に形成することにより、製造工程を簡素化し、リードタイム（Ｌｅａｄ  Ｔｉｍｅ）を短縮することができる。また、電極配線と第１、２電極パターン２１０、３１０を一体に形成することにより、電極配線と第１、２電極パターン２１０、３１０との接合工程を省略することができるため、電極配線と第１、２電極パターン２１０、３１０との間に生じる段差や接合不良の問題を予め防止することができる効果がある。
【００５５】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５６】
本発明の単純な変形乃至変更はいずれも本発明の領域に属するものであり、本発明の具体的な保護範囲は添付の特許請求の範囲により明確になるであろう。
【産業上の利用可能性】
【００５７】
本発明は、電極パターンを不規則に形成することにより、モアレ現象を防止し、視認性を改善することができるタッチパネルに適用可能である。
【符号の説明】
【００５８】
１００、２００  タッチパネル
１１０  電極パターン
１１５  多角形
１１７  所定点
１１９  単位パターン
１２０  透明基板
２１０  第１電極パターン
２１５  第１多角形
２１７  第１所定点
２１９  第１単位パターン
２２０  第１透明基板
３１０  第２電極パターン
３１５  第２多角形
３１７  第２所定点
３１９  第２単位パターン
３２０  第２透明基板
３４０  接着層
【図１】
2014041589.tif 000003
【図２】
2014041589.tif 000004
【図３】
2014041589.tif 000005
【図４】
2014041589.tif 000006
【図５】
2014041589.tif 000007
【図６】
2014041589.tif 000008
【図７】
2014041589.tif 000009
【図８】
2014041589.tif 000010
【図９】
2014041589.tif 000011
【図１０】
2014041589.tif 000012
【図１１】
2014041589.tif 000013
【図１２】
2014041589.tif 000014
【図１３】
2014041589.tif 000015
【図１４】
2014041589.tif 000016